(57)【要約】【課題】  表面仕上材が１対１で貼られた床パネルにおいて、床パネルを外すときに表面仕上材の一々の捲り上げを不要にするとともに、表面仕上材の厚みが違う場合でも、共通のパネル押えを使用できるようにする。【解決手段】  コーナーの先端を切り欠いた切欠部と、切欠部の周囲に上面から所定深さ下がった低段部を共に四分の一円形で形成するとともに、上面に表面仕上材を上面と１対１の関係で貼った床パネルを、切欠部に挿入できて基礎床面上に起立して下方に存在する支持脚にねじ込みできるネジ胴部と、低段部を押圧する頭部を有するパネル押えで固定する床パネルの固定構造において、表面仕上材のコーナーに床パネルの低段部に相当する部分を切除した切除部を設けておくとともに、低段部とパネル押えの頭部との間に所定厚みを有する嵩上げ部材を介在させ、パネル押えを支持脚にねじ込むとき、パネル押えの頭部が嵩上げ部材で規制されて頭部の上面と表面仕上材の上面とが略同じ高さで止まることを特徴とする床パネルの固定構造。【選択図】  図１
2008202356.tif 000002
【特許請求の範囲】
【請求項１】
コーナーの先端を切り欠いた切欠部と、切欠部の周囲に上面から所定深さ下がった低段部を共に四分の一円形で形成するとともに、上面に表面仕上材を上面と１対１の関係で貼った床パネルを、切欠部に挿入できて基礎床面上に起立して下方に存在する支持脚にねじ込みできるネジ胴部と、低段部を押圧する頭部を有するパネル押えで固定する床パネルの固定構造において、表面仕上材のコーナーに床パネルの低段部に相当する部分を切除した切除部を設けておくとともに、低段部とパネル押えの頭部との間に所定厚みを有する嵩上げ部材を介在させ、パネル押えを支持脚にねじ込むとき、パネル押えの頭部が嵩上げ部材で規制されて頭部の上面と表面仕上材の上面とが略同じ高さで止まることを特徴とする床パネルの固定構造。
【請求項２】
嵩上げ部材は表面仕上材と同じ厚みを有し、パネル押えの頭部は低段部の深さと同じ厚みを有する請求項１の床パネルの固定構造。
【請求項３】
嵩上げ部材は、パネル押えのネジ胴部が挿入できる孔が形成されたリング形状又は周の一部が欠落した半リング形状である請求項１又は２の床パネルの固定構造。
【請求項４】
ネジ胴部を嵩上げ部材の孔に挿通すると、ネジ胴部と嵩上げ部材が一体化する請求項３の床パネルの固定構造。
【請求項５】
ネジ胴部と嵩上げ部材の一体化が緊嵌又は係合である請求項４の床パネルの固定構造。
【発明の詳細な説明】
【技術分野】
【０００１】
本発明は、その上面にタイルカーペット等の表面仕上材を１対１の関係で貼る、所謂１対１貼りした床パネルを、パネル押えによって基礎床面上に立設した支持脚に固定する床パネルの固定構造に関するものである。
【背景技術】
【０００２】
従来、耐震性を高め、及び、床パネルのガタ付きを防止する目的で、基礎床面上に立設した支持脚に床パネルを固定する場合、支持脚で支持した四枚の床パネルのコーナー集合部分において、特許文献１に見られるパネル押えを上方から支持脚にねじこんで押さえ付けて固定するのが一般的である。ところで、通常、床パネルの上面にはタイルカーペット等の表面仕上材が貼着されるが、その貼り方には、床パネルをパネル押えで固定した後、床パネルと同じ外形寸法の表面仕上材を床パネルの目地とずらしながら粘着材で貼っていく乱貼り（ずらし貼り）タイプと、床パネルを製造する際に予め同じ外形寸法の表面仕上材を揃えて接着固定しておく１対１貼りタイプ（施工現場で床パネルを固定した後に表面仕上材を接着固定する場合もあり）とがある。
【０００３】
乱貼りタイプのものは、床パネル間の段差や隙間が目立たず仕上りが美しい反面、一枚の床パネルを着脱する際に通常四枚の表面仕上材を剥がして再度貼り付ける作業が必要となるからメンテナンス性が低い。一方、１対１貼りタイプのものは、床パネルを着脱する際に表面仕上材を剥がす必要がなくてメンテナンス性に優れる反面、床パネル間の段差や隙間が目立ち易い。そこで両者は、メンテナンス性を重視するかどうかで使い分けられることになるが、部材精度や施工精度の向上によって床パネル間の段差や隙間の問題が解消されつつある今、メンテナンス性に優れる１対１貼りタイプのものが注目されている。
【０００４】
ところが、このような１対１貼りタイプの床パネルを固定する場合、パネル押えを操作するために表面仕上材のコーナー先端部分を捲り上げなければならず、せっかくのメンテナンス性を低下させてしまう問題がある。加えて、表面仕上材を捲り上げた際の癖が残り美観を損ねる他、人や台車の通行によって躓く危険性を生じさせるとともに大きく捲れ上がってしまう問題があった。よって、このような１対１貼りタイプの床パネルでは基礎床面上に立設した支持脚に対して固定しないケースが多かった。
【０００５】
そこで、特許文献２では、これらの事態を防止するため、表面仕上材（カーペット）２に切欠開口した開口部５内に、表面仕上材２の厚さに相当する平盤状のパネル押え部材４を配し、パネル固定ネジ７を支持脚３のパネル固定ネジ孔６にねじ込み締結することによって、床パネルのコーナー部を支持脚３に連結固定するとともに、パネル押え部材４の周縁部上端に一体に突設したカーペット押えフランジ４Ｃで表面仕上材２の開口部５口縁を押さえ込むようにしている。しかしながら、表面仕上材２がカーペットのような柔らかい素材ではなく樹脂タイルのような固い素材の場合では、パネル押え部材４が表面仕上材２より上方へ飛び出して段差を生じさせてしまうことから、実際には対応ができなかった。
【０００６】
上記問題の全てを解決する方法として、表面仕上材のコーナー先端部をパネル押えの頭部の形状に合わせて切除して、パネル押えを表面仕上材と面一になるように露出させることが考えられる。しかしながら、一般的なものでも２〜７ｍｍの間で５種類程度の厚みの表面仕上材が存在するため、各種厚みの表面仕上材に合わせてパネル押えの頭部の厚み設定を変えた専用品が必要となり、コストが高く実用的ではなかった。
【特許文献１】特開２００１−０４９８５６号公報
【特許文献２】実開平０４−１１１８４３号公報
【発明の開示】
【発明が解決しようとする課題】
【０００７】
本発明は、表面仕上材が１対１貼りタイプの床パネルを支持脚に固定する際、特有の構造を有する嵩上げ部材を使用してパネル押えを表面仕上材と同一面に揃えて取り付けることで、表面仕上材の一々の捲り上げを不要にするとともに、表面仕上材の厚み毎に頭部の厚みを合わせた専用のパネル押えを用いる必要をなくしたものである。
【課題を解決するための手段】
【０００８】
以上の課題の下、本発明は、請求項１に記載した、コーナーの先端を切り欠いた切欠部と、切欠部の周囲に上面から所定深さ下がった低段部を共に四分の一円形で形成するとともに、上面に表面仕上材を上面と１対１の関係で貼った床パネルを、切欠部に挿入できて基礎床面上に起立して下方に存在する支持脚にねじ込みできるネジ胴部と、低段部を押圧する頭部を有するパネル押えで固定する床パネルの固定構造において、表面仕上材のコーナーに床パネルの低段部に相当する部分を切除した切除部を設けておくとともに、低段部とパネル押えの頭部との間に所定厚みを有する嵩上げ部材を介在させ、パネル押えを支持脚にねじ込むとき、パネル押えの頭部が嵩上げ部材で規制されて頭部の上面と表面仕上材の上面とが略同じ高さで止まることを特徴とする床パネルの固定構造を提供する。
【０００９】
また、本発明は、以上の固定構造において、請求項２に記載した、嵩上げ部材は表面仕上材と同じ厚みを有し、パネル押えの頭部は低段部の深さと同じ厚みを有する構成、請求項３に記載した、嵩上げ部材は、パネル押えのネジ胴部が挿入できる孔が形成されたリング形状又は周の一部が欠落した半リング形状である構成、請求項４に記載した、ネジ胴部を嵩上げ部材の孔に挿通すると、ネジ胴部と嵩上げ部材が一体化する構成、請求項５に記載した、ネジ胴部と嵩上げ部材の一体化が緊嵌又は係合である構成を提供する。
【発明の効果】
【００１０】
請求項１の手段によると、製造コストが高いパネル押えは一つの仕様のものにして表面仕上材の厚みとは関係なく共通で使用し、パネル押えに比べて製造コストが安い嵩上げ部材を表面仕上材の厚みに合わせて用意すればいいので、コストが抑えられる。また、パネル押えの使用に際して表面仕上材を一々捲り上げる手間が省けるし、これを可能にする表面仕上材のコーナーの切除は機械的にできるから、大したコストアップにはならない。さらに、表面仕上材とパネル押えの頭部とは面一になっており、窪み等も形成されない。
【００１１】
請求項２の手段によると、パネル押えの頭部は床パネルの低段部の深さと同じ厚みに形成されているため、床パネル上面と面一に取り付ける通常のパネル押えとしても使用でき、コストが抑えられる。請求項３の手段によると、リング形状又は半リング形状にしても、嵩上げ部材は簡単な構造であってコストが安く製作できる。請求項４の手段によると、パネル押えを取り外した時に別操作で嵩上げ部材を取り外す手間が省ける他、紛失することがないし、再びパネル押えを装着する際に嵩上げ部材を位置決めする手間が省かれ、施工性が向上する。請求項５の手段によると、上記した効果が一層確実かつ操作が容易なものになる。
【発明を実施するための最良の形態】
【００１２】
以下、本発明の実施の形態を図面を参照して説明する。図１は本発明の支持脚と床パネルとの関係を示す分解斜視図、図２は本発明の支持脚を用いた床パネルの敷設状態を示す平面図、図３は図２のＡ´−Ｏ−Ａ断面図であるが、本発明における床パネルの支持構造は、四角形をした床パネル１のコーナーの位置で基礎床面２上に置かれる支持脚６と、支持脚６で支持された床パネル１を支持脚６に固定するパネル押え３とからなる。
【００１３】
このうち、支持脚６は、基礎床面２上に適宜固着されて置かれる接地板６０から倒れに対して十分な剛性を有するネジ支柱６１が上延しているものであり、ネジ支柱６１に螺合したナット６２で受け盤６３を受け止め（ナット６２は受け盤６３にカシメ固定されている）、さらに、受け盤６３で床パネル１を載せる載せ盤６４を支持したものである。この場合において、載せ盤６４は、ポリエチレン等の樹脂の成形品で構成され、その外周端が下方に屈曲して受け盤６３の外周を包み込んでおり、中央部に受け盤６３の中に突入する筒胴部７２が形成されたものである。
【００１４】
床パネル１は、上部が開口する縁付容器状をした下面板１２に平板状の上面板１３を被せて外周を巻き込んで接合した構造の鋼板製のもので、全周に上面板１３と下面板１２との重合フランジを有している（図示省略）。コーナー先端の重合フランジに四分の一円形の切欠部１５が形成されており、切欠部１５の周囲には同じく四分の一円形で上面から所定深さに段押し形成された低段部１４が形成されるものであり、対角線方向には低段部１４の外周に起立している起立部１６から更に所定間隔隔てて下面板１２の縦壁であるコーナー側面部１８が降りているものである。したがって、起立部１６とコーナー側面部１８との間には逆Ｕ字形のポケットが形成されることになり、これを首部１７と称する。この他、コーナー側面部１８の両端からは位置決め側面部として辺側面部１９が辺方向に延びている。
【００１５】
起立部１６の周方向の両端部上面から辺方向には辺縁に沿って下方に肉厚となった厚肉縁部２０が辺側面部１９近くまで延びて形成されている。この厚肉縁部２０は、上面板１３の外周による下面板１２の水平フランジの巻き込みによって得られるものであり、下面側へ巻き込んだ上面板１３の板厚分だけ重合フランジから下方へ突出した厚肉状となっている。この他、起立部１６の上端から続く上面は平坦な上面１０に形成され、コーナー側面部１８及び辺側面部１９の下端からは同じく平坦な底面１１に形成されている。
【００１６】
パネル押え３は、円板状の頭部３０と頭部３０よりも径が小さいネジ胴部３１とからなるものである。この頭部３０は、四枚の床パネル１のコーナーが集合状態で円形状となる低段部１４の中に隙間なく入り込む径と、床パネル１の上面１０と同じ高さ（面一）となる厚みを有している。ネジ胴部３１は、同じく円状となる切欠部１５の中に入り込み、かつ、載せ盤６４の中央に形成された筒胴部７２の中央に設けられる貫通孔の中に入り込む径を有しており、その中心には、ネジ支柱６１に螺合できて下端に開口するネジ（雌ネジ）が形成されている。
【００１７】
以上の床パネル１は、支持脚６の載せ盤６４の上に載せられるが、この場合の載せ盤６４は、最内周に低段部１４の下方に存在する水平な受面部６５が形成され、受面部６５の内周端から筒胴部７２が形成され、筒胴部７２の中心にはネジ胴部３１が入り込む貫通孔が形成されているのは上記したとおりである。受面部６５の外周側に続く対角線方向には、受面部６５から高堰部６６が四等分の位置に所定の厚みで環状に起立しており、高堰部６６の周方向の間には高堰部６６よりは背の低い低堰部６９が同じく四カ所に同じ厚みで形成されている。さらに、低堰部６９の外周には低堰部６９よりも更に背の低い仕切部７０が適当な長さで辺方向帯状に起立しており、その外方端部の両側面には縦リブ状に隆起した突当部７１が形成され、高堰部６６、低堰部６９及び仕切部７０の根元から外側は平坦な載せ部６８に形成されている。
【００１８】
この場合、受面部６５の載せ部６８からの高さを、床パネル１の底面１１から低段部１４の下面までの高さよりも低く設定し、高堰部６６の高さも、同様に首部１７の下面までの高さよりも若干低く設定している他、低堰部６９の高さも、厚肉縁部２０の下面までの高さよりも低く設定している。また、敷設された床パネル１の辺縁間には、擦れ音を発生させないために１ｍｍ程度の隙間を設けることから、仕切部７０における突当部７１部分の幅はこの隙間分に床パネル１の辺縁から辺側面部１９までの長さの倍を加えたものにしている。
【００１９】
以上において、高堰部６６や低堰部６９の厚みは、首部１７の幅より狭く設定されている。この場合、両者の中心の径はほぼ同じに設定されており、載せ盤６４の上に床パネル１を置くと、高堰部６６の内周と外周とは首部１７の内周（起立部１６）と外周（コーナー側面部１８）との間で相当の隙間を有するものになっている。強度別タイプによって床パネル１の鋼板の板厚を変えることがあり、この違いによって首部１７の幅に広狭があっても、高堰部６６が支障なく首部１７に挿入されるようにするためである。
【００２０】
加えて、本例では、強度別タイプによって床パネル１の鋼板厚みが違っても、高堰部６６が床パネル１の首部１７の中に位置ずれ等を起こさないで収まるように高堰部６６の内周に位置規制片６７を設けている。本例における位置規制片６７は、高堰部６６と一体に形成される変形可能な縦リブ形状であり、通常は、その先端が首部１７の内周壁を構成する起立部１６の外周に軽く当たるようになっている。したがって、鋼板の厚みが薄いタイプの床パネル１であれば、首部１７の幅が広いから軽く変形し、厚みが厚いタイプの床パネル１であれば、首部１７の幅が狭いからかなり大きく変形するが、いずれにしても、位置規制片６７は首部１６の中に隙間なく当接した状態で挿入され、敷設後に床パネル１の位置ずれ等を起こさない。
【００２１】
次に、支持脚６の基礎床面２への接着の仕方、及び、床パネル１の支持脚６への載せ方であるが、支持脚６の接地板６０に接着剤を塗着し、概ね床パネル１のコーナー位置に合わせて置いた後、ナット６２を上下して載せ盤６４を所定の高さに調整したなら、床パネル１の低段部１４を挟む両側の辺側面部１９が高堰部６６を挟む両側の突当部７１にそれぞれ当接するまで低段部１４側に押し込んで、又は、支持脚６の高堰部６６を挟む両側の突当部７１が床パネル１の低段部１４を挟む両側の辺側面部１９にそれぞれ当接するまで支持脚６を床パネル１側に押し込んで底面１１を載せ部６８の上に置き、支持脚６を床パネル１に対する正規位置に合わせて基礎床面２に固定する（このとき接着剤は固まっていない）。
【００２２】
これにより、床パネル１の低段部１４側への移動は突当部７１によって規制され、首部１７は常に正規の位置関係で高堰部６６に嵌まり込むと同時に、縦リブ６７が起立部１６に上記のように強弱に当接して変形する。この状態が床パネル１が正規の位置にセットされた状態であり、このような操作を繰り返しながら床パネル１を敷き詰めると、各床パネル１は適当な間隔（設定された間隔）を保持して敷設される。
【００２３】
次いで、パネル押え３を低段部１４に嵌め込んでネジ支柱６１に螺合して行くと、そのネジ胴部３１の外周が載せ盤６４の筒胴部７２の内周に案内されながら下降して互いに位置ずれと変形を規制し合い、頭部３０は低段部１４の中に入り込んでその裏面で低段部１４を押さえ付ける。このときでも、多くの場合、低段部１４の裏面は載せ盤６４の受面部６５には接触しておらず、低段部１４は弾性変形した状態で下方に押圧され、これで床パネル１が固定される状態となる。
【００２４】
このとき、パネル押え３はその締付力によって縦リブ６７の変形を容易、かつ確実にするとともに、縦リブ６７の原形復帰力によって床パネル１が浮き上がるのを確実に防止する効果を有する。したがって、縦リブ６７の剛性が高くても容易に変形させることが可能となり、床パネル１の位置規制力をより高く設定できる。
【００２５】
一方、床パネル１については、その上面１０に表面仕上材４が貼られる。本発明における表面仕上材１０は、床パネル１と１対１の関係で位置を揃えて貼られるのであるが、それには、サイズは床パネル１と同じにし、ただ、コーナーを低段部１４と同じ大きさの四分の一円形で切除した切除部４０としているのである。なお、この切除部４０の加工は、プレス成形で行われ、正確にできるとともに、コストもそれほどかからない。
【００２６】
これを接着剤によって床パネル１に貼るのであるが、１対１貼りの場合、工場から出荷する段階で貼っておくのが通常である。これにおける表面仕上材４には２〜７ｍｍの厚みのものがあり、材質的には樹脂タイル系のものとカーペット系のものがある。
【００２７】
次に、本発明について説明すると、床パネル１の上面１０には切除部４０を設けた表面仕上材４が貼られている関係で、上記した形状のパネル押え３では、その頭部３０が表面仕上材４の下に潜ってしまう。これでは、窪みになってしまい、歩行のとき等に危険でもある。そこで、床パネル１の低段部１４の上に嵩上げ部材５を載置し、この上からパネル押え３をねじ込むようにしている。このねじ込みは、ネジ胴部３１を支持脚６のネジ支柱６１にねじ込んで行くのであるが、ある位置までねじ込むと、パネル押え３の頭部３０は嵩上げ部材５に当たってそれ以上のねじ込みが不能になる。
【００２８】
と同時に、頭部３０は十分に嵩上げ部材５及び低段部１４を押圧することになるが、このとき、頭部３０の上面と表面仕上材４の上面がほぼ同じになるように嵩上げ部材５の厚みを設定しておくのである。したがって、嵩上げ部材５の厚みは、使用されている表面仕上材４の厚みに応じたものになる。また、色も同色系統にすれば、パネル押え３がそれほど目立つこともない。
【００２９】
この要請に応える嵩上げ部材５は、中央にパネル押え３のネジ胴部３１が挿通できる孔５０があいたリング形状となるが、本発明では、この嵩上げ部材５が一度使用されると、パネル押え３と一体化するようにしたものである。具体的には、嵩上げ部材５の内周に縦リブ状の変形部５１を３本程度形成するものである。そして、変形部５１の頂部を周回する寸法（内径寸法）は、ネジ胴部３１の外径寸法よりも０．５ｍｍ程度小さくしておき、ネジ胴部３１を一度嵩上げ部材５の孔５０内に挿通すると、一体化して通常では分離しないようにしたものである。この点で、嵩上げ部材５の材質は弾性変形が可能な樹脂が適するが、パネル押え３が樹脂製の場合は金属であってもよい。
【００３０】
一度使用されたパネル押え３と嵩上げ部材５とは殊更別々にする必要がないから、常に一体にして取扱い等の便を図ったものである。したがって、メンテナンス等で一度パネル押え３を取り外したとしても、両者がばらばらになって散逸することがない。ただし、無理やり外せば分離できることから、標準のパネル押え３として再度使用できるのはいうまでもない。なお、パネル押え３と嵩上げ部材５は使用前に予め抜け落ちない程度に一体にした後、支持脚６へのパネル押え３のねじ込み操作によって完全に一体化させてもよいが、もちろん、低段部１４の上に嵩上げ部材５を載せ、それにパネル押え３を通しねじ込み操作で自動的に一体化する方法であってもよい。
【００３１】
図４はパネル押え３と嵩上げ部材５の他の例を示す斜視図であるが、本例のものは、嵩上げ部材５がリング形状である点は変わらないが、パネル押え３のネジ胴部３１には外周にもネジが形成されており、嵩上げ部材５の内周にはこのネジに係合する係合部５２が形成されたものである。この係合部５２は孔５０から周方向に三分割位に分割されたヒレ状突起であり、ネジが突起を一度通過すると、突起がネジ山に食い込み、両者が一体化するものである。
【００３２】
この場合、ネジ胴部３１の外周にはネジ（雄ネジ）を形成するが、中心に上記したネジ（雌ネジ）を形成したものであれば、ネジ支柱６１も上記した標準構造のものでよい。しかし、支持脚６のネジ支柱６１の上部に雌ネジを形成したものにすれば（図示省略）、ネジ胴部３１の外周に雄ネジのみを形成したもので足りることになる。この場合は、ネジ胴部３１は汎用ボルトで代替でき、頭部３０は、汎用ボルトの頭部を落とし込める凹部を上面中央に備えたワッシャ状のもの（図示省略）で足りることになり、パネル押え３が安価に製作できる利点がある。
【００３３】
図５は更に他の例を示す斜視図であるが、本例のものは、嵩上げ部材５として周方向の一部に欠落した切断部５３を有する半リング形状としたものである。そして、パネル押え３のネジ胴部３１には、頭部３０の下方で、嵩上げ部材５の厚み程度の位置に周方向に突起する係止突条３２を形成したものである。嵩上げ部材５のパネル押え３への装着方法は、これまでの例と同様に嵩上げ部材５の孔５０にネジ胴部３１を強引に差し込めばよい。しかしながら、本例の嵩上げ部材５によれば、係止突条３２を乗り越す際に嵩上げ部材５の切断部５３がやや開いた状態に弾性変形して一体化が容易になる他、孔５０の径をネジ胴部３１の外径に対し０．５ｍｍ程度小さく設定すれば、ネジ胴部３１を締め付けてより強固に一体化することもできる。
【００３４】
切断部５３の大きさ（隙間）は任意であるが、大きくなり過ぎると低段部１４を押圧できない部分が増えるため好ましくない。反対に小さい場合、例えば通常は隙間がなく端面同士が接した状態で係止突条３２を乗り越す際に隙間が大きく開くものでもよい。また、係止突条３２の位置は、嵩上げ部材５の上面が頭部３０の下面に押圧する関係に設定されるが、隙間を有する関係に設定してもよく、係止突条３２によって嵩上げ部材５の抜け落ちが防止できさえすれば問題ない。
【００３５】
図６も更に他の例を示す斜視図であるが、本例のものは、上記の半リング形状の嵩上げ部材５の変形例であり、ネジ胴部３１に周方向に凹陥する係止凹条３３を形成するとともに、嵩上げ部材５の孔５０の内周に係止凹条３３に嵌まり込む係止突条５４を形成したものである（係止凹条３３と係止突条５４の位置は、嵩上げ部材５の上面が頭部３０の下面に押圧する関係に設定される）。
【図面の簡単な説明】
【００３６】
【図１】本発明の床パネルの固定構造の一例を示す分解斜視図である。
【図２】本発明の床パネルの固定構造の一例を示す平面図である。
【図３】本発明の床パネルの固定構造の一例を示す図２中ＡーＯーＡ断面図である。
【図４】本発明のパネル押えと嵩上げ部材の他の例を示す分解斜視図である。
【図５】本発明のパネル押えと嵩上げ部材の他の例を示す分解斜視図である。
【図６】本発明のパネル押えと嵩上げ部材の他の例を示す分解斜視図である。
【符号の説明】
【００３７】
１    床パネル
２    基礎床面
３    パネル押え
４    表面仕上材
５    嵩上げ部材
６    支持脚
１０  床パネルの上面
１１  床パネルの底面
１２  下面板
１３  上面板
１４  低段部
１５  低段部の切欠部
１６  起立部
１７  首部
１８  コーナー側面部
１９  辺側面部
２０  厚肉縁部
３０  パネル押えの頭部
３１  パネル押えのネジ胴部
３２  係止突条
３３  係止凹条
４０  表面仕上材の切除部
５０  嵩上げ部材の穴
５１  嵩上げ部材の変形部
５２  嵩上げ部材の係合部
５３  嵩上げ部材の切断部
５４  係止突条
６０  接地板
６１  ネジ支柱
６２  ナット
６３  受け盤
６４  載せ盤
６５  受面部
６６  高堰部
６７  位置規制片
６８  載せ部
６９  低堰部
７０  仕切部
７１  突当部
７２  筒胴部
【図１】
2008202356.tif 000003
【図２】
2008202356.tif 000004
【図３】
2008202356.tif 000005
【図４】
2008202356.tif 000006
【図５】
2008202356.tif 000007
【図６】
2008202356.tif 000008